(57)【要約】【課題】パンフレットの受領者に限定して関連ホームページを閲覧させることが可能であるような、２次元コードの印刷されたパンフレット、及び、その２次元コードを介してアクセスされるホームページを運営するサイト運営システムを提供すること。【解決手段】インターネット上のホームページにアクセスするための２次元コードが印刷されたパンフレットであって、ホームページを運用するサーバにはその２次元コードを介さずにホームページにアクセスすることが困難であるようなアクセス制限手段を設ける。【選択図】図１
2014210371.tif 000002
【特許請求の範囲】
【請求項１】
インターネット上のホームページにアクセスするための２次元コードが印刷されたパンフレットであって、
前記ホームページを運用するサーバに、前記２次元コードを介さずに前記ホームページにアクセスすることが困難であるようなアクセス制限手段を有するサイト運営システムが設けられていることを特徴とする、パンフレット。
【請求項２】
前記アクセス制限手段は、所定のホームページにおいて非公知のパスワードが入力された場合にのみ前記ホームページへのアクセスを許容するものであり、
前記２次元コードは、コード化されたテキストに前記パスワードを含むものであることを特徴とする、請求項１に記載のパンフレット。
【請求項３】
前記サイト運営システムであって、所定の期間にのみ前記ホームページを提供し、前記所定の期間が経過した時に、前記ホームページへのアクセスを不能にする又は前記ホームページの内容を更新することを特徴とする、サイト運営システム。
【発明の詳細な説明】
【技術分野】
【０００１】
本発明は、２次元コードの印刷されたパンフレット、及び、その２次元コードを介してアクセスされるホームページを運営するサイト運営システムに関するものである。
【背景技術】
【０００２】
企業等の配布する広告紙、カタログ、小冊子等（以下、これらを総称して「パンフレット」と言う。）には、そこに印刷された内容に係るホームページ（以下、「関連ホームページ」と言う。）へのアクセスを容易にするための２次元コードが合わせて印刷されていることが多くなった。
パンフレットを受け取った者（以下、「受領者」と言う。）は、２次元コードをスマートフォン等で撮影することで、関連ホームページへのアクセスを容易に行うことができる。
【０００３】
関連ホームページとしては、パンフレットを配布する企業の製品紹介のページ、その他の一般に公開されたホームページが用いられることが多かった。
しかし、一般に公開されたホームページ以外のホームページを関連ホームページとして、その閲覧をパンフレットの受領者に限定したい場合も考えられる。例えば、限定された優良顧客にのみパンフレットを配布して特別のサービスを行う場合である。かかる場合に、関連ホームページのＵＲＬを公開していなくても、検索エンジンのクローラーが巡回して検索対象となってしまう、偶然にアクセスを行った者がＵＲＬを他人に教えてしまう等のことで、関連ホームページの閲覧をパンフレットの受領者に限定することができなくなってしまう。
【０００４】
以上のように、パンフレットの受領者に限定して関連ホームページを閲覧させることは、知られていなかった。
【先行技術文献】
【特許文献】
【０００５】
【特許文献１】特開２００２−１９７３６３号公報
【特許文献２】特開２００７−３２８５５２公報
【発明の概要】
【発明が解決しようとする課題】
【０００６】
解決しようとする課題は、パンフレットの受領者に限定して関連ホームページを閲覧させることが可能であるような、２次元コードの印刷されたパンフレット、及び、その２次元コードを介してアクセスされるホームページを運営するサイト運営システムを提供することである。
【課題を解決するための手段】
【０００７】
本発明のパンフレットは、
インターネット上のホームページにアクセスするための２次元コードが印刷されたパンフレットであって、
前記ホームページを運用するサーバに、前記２次元コードを介さずに前記ホームページにアクセスすることが困難であるようなアクセス制限手段を有するサイト運営システムが設けられていることを特徴とする。
【０００８】
アクセス制限手段によって、２次元コードを介さずに関連ホームページにアクセスすることを困難にする。すなわち、関連ホームページへのアクセスを、ブラウザにおける単純なＵＲＬ入力のみによっては行えないものとする。これにより、関連ホームページは、検索エンジンのクローラーが巡回してくることがなくなり、また、偶然にアクセスされる可能性が極めて小さくなる。
【０００９】
本発明のパンフレットは、
前記アクセス制限手段は、所定のホームページにおいて非公知のパスワードが入力された場合にのみ前記ホームページへのアクセスを許容するものであり、
前記２次元コードは、コード化されたテキストに前記パスワードを含むものであることを特徴とする。
【００１０】
アクセス制限の手法としては、パスワードによるものが広く用いられている。２次元コードはそれをデコードするとテキストとなるので、そのテキストにパスワードを含めることができる。すなわち、非公知のパスワードを含めた２次元コードをパンフレット印刷する。２次元コードを見ても容易にはパスワードを読み取ることができないので、関連ホームページへのアクセスが制限できる。
【００１１】
本発明のサイト運営システムは、
前記サイト運営システムであって、所定の期間にのみ前記ホームページを提供し、前記所定の期間が経過した時に、前記ホームページへのアクセスを不能にする又は前記ホームページの内容を更新することを特徴とする。
【００１２】
２次元コードをデコードしてテキストを求めることは、容易ではないものの、技術的には可能である。同一の２次元コードを介した関連ホームページへのアクセスを所定の期間に限定し、デコードされたテキストをブラウザから入力することによってアクセスされてしまう可能性を小さくする。
【発明の効果】
【００１３】
パンフレットの受領者に限定して関連ホームページを閲覧させることが可能であるような、２次元コードの印刷されたパンフレット、及び、その２次元コードを介してアクセスされるホームページを運営するサイト運営システムを提供することができる。
【図面の簡単な説明】
【００１４】
【図１】図１は、パンフレットの例を示す図である。
【図２】図２は、アクセス制限手段の処理の例を示す図である。
【図３】図３は、ホームページの例を示す図である。
【発明を実施するための形態】
【００１５】
図１は、パンフレットの例を示す図である。パンフレット１には、二次元コード２が印刷されている。パンフレット１は、外観上は、広く配布されているものと同様である。
二次元コード２には、「https://www.company.com/campaign?pw=abcd1234」との文字列がコード化されている。ここで「https://www.company.com/campaign」は一般的なＵＲＬであり、広く公開されているものである。その後の「?pw=abcd1234」はＵＲＬ引数であり、「abcd1234」とのパスワードを指定しているものである。このパスワードは非公知であり、パンフレット１に印刷された二次元コード２にコード化されて印刷されている以外には開示されていない。
【００１６】
パンフレット１の受領者は、スマートフォンのカメラを用いて二次元コード２を撮影し、「https://www.company.com/campaign?pw=abcd1234」の文字列によってホームページhttps://
www.company.com/campaign」にアクセスする。サーバ上のホームページには、アクセス制限手段が設けられている。図２は、アクセス制限手段の処理の例を示す図である。
アクセス制限手段は、ＵＲＬ引数を取得し、そこに「pw=」で表されるパスワードが含まれていて正しいものであるか否かを確認する。正しい場合には関連ホームページを表示し、その他の場合には通常ホームページを表示する。
二次元コード２を介したアクセスにおいては関連ホームページが表示され、その他のアクセスにおいては通常ホームページが表示されることになる。
このようにＵＲＬ引数に基づいて表示されるホームページを切り替えることは、広く一般的に知られている手法によって可能である。例えば、ＰＨＰによるホームページによってそのようなアクセス制限手段を実装することができる。
【００１７】
図３は、ホームページの例を示す図である。通常ホームページ（ａ）は、Ａ商品及びＢ商品を購入することのできる商品販売サイトである。
関連ホームページ（ｂ）もＡ商品及びＢ商品を購入することのできる商品販売サイトであるが、通常ホームページ（ａ）よりも販売価格が安価であり、また、Ｓ商品をも購入することができる。
パンフレット１の受領書のみに対して関連ホームページのサービスを提供することができる。
【００１８】
所定のキャンペーン期間が終了した際には、アクセス制限手段は、パスワードが正しい場合にも通常ホームページを表示する。これにより、パンフレット１の受領書に向けた関連ホームページのサービスの提供が終了し、合わせてパンフレット１の受領書以外の者による関連ホームページへのアクセスのリスクが軽減される。なお、アクセス制限手段が通常ホームページを表示することに替えて、サーバにおいてアクセス制限手段を用いずに無条件に通常ホームページを表示する、関連ホームページの内容を通常ホームページと同一のものにする、その他の方法を用いてもよい。
【００１９】
以上、１つの実施例を示した。発明の技術的範囲はこの実施例に限定されるものではない。
アクセス制限手段はＵＲＬ引数としてのパスワード以外の情報によってアクセスを制限してもよい。
「パスワード」の語で説明したが、任意の文字列でよい。「パスワード」と呼ばれている必要はない。
【産業上の利用可能性】
【００２０】
パンフレットの受領者に限定して関連ホームページを閲覧させることが可能であるような、２次元コードの印刷されたパンフレット、及び、その２次元コードを介してアクセスされるホームページを運営するサイト運営システムであり、多くの製品販売業者による利用が考えられる。
【符号の説明】
【００２１】
１    パンフレット
２    ２次元コード 
【図１】
2014210371.tif 000003
【図２】
2014210371.tif 000004
【図３】
2014210371.tif 000005